(57)【要約】【課題】  本発明の目的は、マルチビーム光走査装置において水平同期信号周期やパルス間隔の検査を容易にかつ比較的小さな回路規模で実現することが可能なマルチビーム光走査装置およびこれを用いた電子写真装置を提供することである。【解決手段】  複数レーザ光を発生するレーザ光出力部と走査手段と光検出センサと同期信号生成部とを備えた走査機構部と、同期信号の正常性を検査する同期信号検査部とビデオ信号生成部とを備えた信号制御部を有するマルチビーム光走査装置において、前記信号制御部に、前記複数レーザ光の一つの同期信号周期を検査する周期検査回路と、前記複数レーザ光の隣接する一組のレーザ光の同期信号パルス間隔を検査するパルス間隔検査回路と、各レーザ光に対応する同期信号を入力する選択手段とを設ける。【選択図】  図１
2008009255.tif 000002
【特許請求の範囲】
【請求項１】
複数レーザ光を発生するレーザ光出力部および前記レーザ光を媒体上に走査する走査手段およびレーザ光の走査開始端付近に配置された光検出センサおよび前記光検出センサの出力により前記複数レーザ光の各々に対応する同期信号を生成する同期信号生成部とを備えた走査機構部と、前記同期信号の正常性を検査する同期信号検査部および前記同期信号により各レーザ光に対応したビデオ信号を生成するビデオ信号生成部とを備えた信号制御部を有するマルチビーム光走査装置において、
前記信号制御部に、前記複数レーザ光の一つの同期信号周期を検査する単一の周期検査回路と、前記複数レーザ光の隣接する一組のレーザ光の同期信号パルス間隔を検査する単一のパルス間隔検査回路と、これら検査回路に各レーザ光に対応する同期信号を順次入力する選択手段とを設けたことを特徴とするマルチビーム光走査装置。
【請求項２】
前記選択手段は、各レーザ光に対応した同期信号を生成して前記周期検査回路と前記パルス間隔検査回路に入力する検査信号選択回路からなることを特徴とする請求項１記載のマルチビーム光走査装置。
【請求項３】
前記選択手段は、ビデオ信号ごとの出力開始信号を用いて個別にビデオ信号を生成するビデオ信号生成部からなることを特徴とする請求項１記載のマルチビーム光走査装置。
【請求項４】
請求項１乃至３の何れか１項に記載する前記マルチビーム光走査装置を用いて、感光体に静電潜像を形成することを特徴とする電子写真装置。
【発明の詳細な説明】
【技術分野】
【０００１】
本発明は、複数本のレーザ光を用いた各種媒体の走査に用いられるマルチビーム光走査装置、およびこのマルチビーム光走査装置で感光体を走査して静電潜像を形成する電子写真装置に関するものである。
【背景技術】
【０００２】
近年、印刷密度の高解像度化や印刷速度の高速化への要求が高まるにつれ、走査光の本数を複数本とするマルチビーム光走査装置が多く用いられている。この装置では、複数光源から発生する複数レーザ光の光ビームを感光体等の媒体走査方向に対して傾斜させ同時に走査するとともに、１個の光検出センサにより各走査光を検知し、各走査光に対する水平同期信号を多重化した水平同期信号を生成する。
【０００３】
図３は、従来のマルチビーム光走査装置における水平同期信号生成装置を示す概略構成図であり、信号制御部１０１と走査機構部１０２から構成される。信号制御部１０１のビデオ信号生成部１０４から出力したビデオ信号３０１〜３０５に基づき、走査機構部１０２のレーザ光出力部１０５においてマルチビームレーザ光を変調し、回転多面鏡１０６で反射させ、非球面レンズ１０７を透過した後、光検出センサ１０８及び感光体１０９を走査する。
【０００４】
光検出センサ１０８の受光面は、走査開始端付近で走査光１１１〜１１５が走査する複数走査線にわたって走査光を検出可能に設けられており、走査光１１１〜１１５がセンサ１０８上を走査すると検知出力を発生する。検知出力は水平同期信号生成部１１０に加えられ水平同期信号３０６を生成し、水平同期信号検査部１０３において前記同期信号の正常性が確認され、ビデオ信号生成部１０４において走査光の水平方向書き出し位置を一定に保つ印刷データ書き出し開始タイミングの決定に用いられる。
【０００５】
図４は、従来例において走査光が５本の場合の、ビデオ信号と水平同期信号の関係を示すタイミングチャートである。各ビデオ信号３０１〜３０５は、水平同期信号発生用データ４０１〜４０５と印刷データ４０６〜４１０から成っている。水平同期信号発生用データ４０１〜４０５によって光検出センサ１０８を走査し、各ビデオ信号３０１〜３０５に対応して水平同期信号３０６を構成する水平同期信号パルス４１１〜４１５を発生させ、印刷データ４０６〜４１０の書き出し開始位置を決定している。
【０００６】
ここで、水平同期信号のパルスとビデオ信号との対応関係を水平同期信号パルスの属性と称する。同一属性を持つ水平同期信号の各パルス間は一定の周期を保っており、例えば、第１ビデオ信号に対応した属性ＢＤ１を持つ水平同期信号パルス４１１と、パルス４２１は常に一定の周期を保っている。同様に、例えば、第５ビデオ信号に対応した属性ＢＤ５を持つ水平同期信号パルス４１５と、パルス４２５は一定の周期を保っている。
【０００７】
一方、図５に示すように、水平同期信号の隣接したビデオ信号属性を持つパルスもまた一定の間隔を保っており、例えば、第１ビデオ信号に対応した属性ＢＤ１を持つ水平同期信号パルス５０１と第２ビデオ信号に対応した属性ＢＤ２を持つパルス５０２は常に一定の間隔を保っている。同様に、属性ＢＤ４を持つ水平同期信号パルス５０４と属性ＢＤ５を持つパルス５０５も一定の間隔を保っている。
【０００８】
これら一定の周期やパルス間隔を保っている水平同期信号信号３０６に異常が発生すると、印刷データの書き出し位置が異常となってしまう恐れがあり、ついては誤印刷をもたらすことが想定される。このため、水平同期信号検査部１０３では水平同期信号３０６の周期やパルス間隔を厳密にチェックし、水平同期信号３０６の周期やパルス間隔に異常を検知した場合は、障害を報告して印刷を停止する制御方式が採用されている。
【０００９】
図６は、従来例における水平同期信号検査部の構成を示すブロック図である。水平同期信号検査部１０３では水平同期信号３０６を入力し、周期検査部６０１において水平同期信号３０６の周期チェックを行い、パルス間隔検査部６０７において隣接する異なる属性を持つ水平同期信号３０６のパルス間隔チェックを行い、周期またはパルス間隔が異常であることを検知した場合はＢＤエラー検出信号６１３を出力する。
【００１０】
ここで、周期検査部６０１はＢＤ１検査回路６０２、ＢＤ２検査回路６０３、ＢＤ３検査回路６０４、ＢＤ４検査回路６０５、ＢＤ５検査回路６０６によって構成されており、水平同期信号の属性毎に周期をチェックしている。各検査回路のいずれかで水平異常を検知した場合は、水平同期信号周期エラーとしてＯＲ回路６１２を介し、ＢＤエラー検出信号６１３を出力する。このように属性数が異なるケースにおいては属性数に対応した複数の周期チェック回路が必要であった。
【００１１】
一方、パルス間隔検査部６０７はＢＤ１−ＢＤ２間検査回路６０８、ＢＤ２−ＢＤ３間検査回路６０９、ＢＤ３−ＢＤ４間検査回路６１０、ＢＤ４−ＢＤ５間検査回路６１１によって構成されており、隣接する属性を持つ水平同期信号の組み合わせ毎にパルス間隔をチェックしている。各検査回路のいずれかで水平同期信号パルス間隔異常を検知した場合は、水平同期信号パルス間隔エラーとしてＯＲ回路６１２を介し、ＢＤエラー６１３を出力する。したがって、属性数が異なるケースにおいては属性数に応じた数のパルス間隔検査回路が必要となっていた。
【００１２】
なお、マルチビーム光走査装置において、水平同期信号の正常性を認識する技術としては、特許文献１に示すように水平同期信号周期を基準とした一定の許容時間内に水平同期信号パルス数をカウントし規定数のパルスに満たない場合に異常を検出する構成が提案されている。また、特許文献２では水平同期信号パルス間隔を基準とした一定の許容時間内に水平同期信号の属性毎のパルス有無をチェックし、パルスが無い場合は異常を検出する技術が開示されている。
【００１３】
【特許文献１】特開２０００−１１１８１７号公報
【特許文献２】特開２００２−３６５５６９号公報
【発明の開示】
【発明が解決しようとする課題】
【００１４】
上述のように、マルチビーム光走査装置では、多重化された水平同期信号周期やパルス間隔を検査する回路によって水平同期信号の正常性を検査する必要があるが、走査光の本数、即ち、水平同期信号の属性数が多ければ多いほど回路構成及び制御が複雑となり、その結果回路規模が大きくなってコストが高くなるという問題がある。
【００１５】
本発明の目的は、一度に走査する走査光の本数が複数本であっても、水平同期信号周期やパルス間隔の検査を容易に、かつ比較的小さな回路規模で実現するマルチビーム光走査装置およびこれを用いた電子写真装置を提供することである。
【課題を解決するための手段】
【００１６】
本発明は、複数レーザ光を発生するレーザ光出力部および前記レーザ光を媒体上に走査する走査手段およびレーザ光の走査開始端付近に配置された光検出センサおよび前記光検出センサの出力により前記複数レーザ光の各々に対応する同期信号を生成する同期信号生成部とを備えた走査機構部と、前記同期信号の正常性を検査する同期信号検査部および前記同期信号により各レーザ光に対応したビデオ信号を生成するビデオ信号生成部とを備えた信号制御部を有するマルチビーム光走査装置において、前記信号制御部に、前記複数レーザ光の一つの同期信号周期を検査する単一の周期検査回路と、前記複数レーザ光の隣接する一組のレーザ光の同期信号パルス間隔を検査する単一のパルス間隔検査回路と、これら検査回路に各レーザ光に対応する同期信号を順次入力する選択手段とを設けたことを特徴とする。
【００１７】
また、前記選択手段は、各レーザ光に対応した同期信号を生成して前記周期検査回路と前記パルス間隔検査回路に入力する検査信号選択回路からなることを特徴とする。
【００１８】
また、前記選択手段は、ビデオ信号ごとの出力開始信号を用いて個別にビデオ信号を生成するビデオ信号生成部からなることを特徴とする。
【００１９】
さらに本発明は、前記マルチビーム光走査装置を用いて、感光体に静電潜像を形成する電子写真装置を提供することを特徴とする。
【発明の効果】
【００２０】
本発明によれば、検査対象とする同期信号を順次入れ替えることにより、一度に走査する走査光の本数が複数本であっても、水平同期信号周期やパルス間隔の検査を容易に、かつシンプルな回路規模で実現することができるという効果がある。
【発明を実施するための最良の形態】
【００２１】
本発明の実施例は、レーザ光出力部および走査手段およびレーザ光の走査開始端付近に配置された光検出センサおよび同期信号生成部とを備えた走査機構部と、同期信号検査部およびビデオ信号生成部とを備えた信号制御部を有するマルチビーム光走査装置において、前記信号制御部に、単一の周期検査回路と、単一のパルス間隔検査回路と、これら検査回路に各レーザ光に対応する同期信号を順次入力する選択手段とを設けている。
【実施例１】
【００２２】
以下、本発明に係るマルチビーム光走査装置の全体構成を説明し、次に、その主要部である水平同期信号検査部とビデオ信号生成部の実施例について説明する。
【００２３】
図１は、走査光を５本とした場合の本発明の概略を示す。信号制御部１０１に設けられたビデオ信号生成部１０４により生成されたビデオ信号ＬＤ１〜ＬＤ５は、走査機構部１０２に設けられたレーザ光出力部１０５に加えられる。レーザ光出力部１０５により発生したレーザ光は、高速回転する回転多面鏡１０６により反射され、非球面レンズ１０７を透過して光検出センサ１０８及び感光体１０９を走査する。走査光１１１〜１１５が光検出センサ１０８を走査すると、センサ１０８は検知信号を発生し、それを元に水平同期信号生成部１１０は水平同期信号ＢＤを生成する。生成された水平同期信号ＢＤは、信号制御部１０１に設けられた水平同期信号検査部１０３とビデオ信号生成部１０４に加えられる。光検出センサは複数個から構成しても良い。
【００２４】
図２は、本発明マルチビーム光走査装置における水平同期信号検査部１０３の実施例を示すブロック図である。水平同期信号生成部１１０により生成された水平同期信号ＢＤは、水平同期信号分離回路２０１に加えられ、第１水平同期信号ＢＤ１〜第５水平同期信号ＢＤ５が分離して取り出される。同期信号周期を検査する周期検査回路２０３およびパルス間隔を検査するパルス間隔検査回路２０５が設けられる。また、検査の対象とする同期信号を順次入れ替える選択手段として、検査信号選択回路Ａ２０２および検査信号選択回路Ｂ２０４が設けられている。
【００２５】
はじめに、同期信号周期検査機能について説明する。分離された第１水平同期信号ＢＤ１〜第５水平同期信号ＢＤ５は検査信号選択回路Ａ２０２に加えられる。検査信号選択回路Ａ２０２では、入力された水平同期信号ＢＤ１〜ＢＤ５の一つを選択して水平同期信号ＢＤＸを生成し出力する。次いで検査対象とする同期信号を順次入れ替えて新たな水平同期信号ＢＤＸを生成し出力する。
【００２６】
水平同期信号ＢＤＸの生成方法の詳細は次の通りである。図１０に示す水平同期信号ＢＤの周期検査動作を示すタイミングチャートにおいて、検査信号選択回路Ａ２０２によって水平同期信号ＢＤの第１周期１００１、第２周期１００２では、ＢＤ１をＢＤＸ信号として周期検査回路２０３へ出力する。周期検査回路２０３は、検査信号選択回路Ａ２０２より出力されたＢＤ１属性を持つこれら二つのＢＤＸ信号によりＢＤ１の周期チェックを行う。また、水平同期信号ＢＤの第３周期１００３、第４周期１００４では同様にＢＤ２をＢＤＸ信号として出力する。周期検査回路２０３は、検査信号選択回路Ａ２０２より出力されたＢＤ２属性を持つＢＤＸ信号によりＢＤ２の周期チェックを行う。
【００２７】
以下同様に、第５周期１００５と第６周期１００６からＢＤ３属性を持つＢＤＸ信号を出力しＢＤ３の周期チェックを行い、第７周期１００７と第８周期１００８からＢＤ４属性を持つＢＤＸ信号を出力しＢＤ４の周期チェックを行い、第９周期１００９と第１０周期１０１０からＢＤ５属性を持つＢＤＸ信号を出力しＢＤ５の周期チェックを行う。ＢＤ５の周期チェックの後は最初に戻って、ＢＤ１から順次周期チェックを行う。
【００２８】
この構成によると、検査信号選択回路Ａ２０２によって検査対象とする水平同期信号を発生順に順次入れ替えてＢＤＸ信号を生成するため、水平同期信号の属性に関わらず単一の周期検査回路２０３によって周期をチェックすることが可能である。周期検査回路２０３では、検査信号選択回路Ａ２０２より出力された水平同期信号ＢＤＸの周期検査を行う。
【００２９】
図７の周期検査回路２０３の処理手順を示すフローチャートと、図８の周期検査回路２０３の動作を示すタイミングチャートを用いて、以下に動作を説明する。まず、水平同期信号ＢＤＸの１個目のパルス８０１を受信すると（Ｓ７０１）、そのパルスの立ち上がりからの時間をカウントするカウンタを始動する（Ｓ７０２）。そして時間の経過とともにカウンタをインクリメントして、カウンタ値が一定値Ａに達するまで待機する。一定値Ａは水平同期信号ＢＤの同一属性パルス間の周期を勘案して決定する。カウンタ値が一定値Ａに達すると２個目パルスの受信許容範囲の開始タイミングに達したと判断し（Ｓ７０３）、２個目パルス受信チェック中フラグ８０４をセットする（Ｓ７０４）。さらに、水平同期信号ＢＤＸの２個目パルスの受信を待機し（Ｓ７０５）、２個目パルスを受信したら２個目パルス受信フラグ８０５をセットする（Ｓ７０６）。一方、２個目のパルスを受信しない場合は、２個目パルス受信フラグ８０５はセットされない。カウンタがインクリメントを進め、一定値Ｂに達するまで待機する。一定値Ｂも水平同期信号ＢＤの同一属性パルス間の周期を勘案して決定する。カウンタ値が一定値Ｂに達すると２個目パルスの受信許容範囲の終了タイミングに達したと判断し（Ｓ７０７）、２個目パルス受信チェック中フラグ８０４をリセットする（Ｓ７０８）。ここで、２個目パルス受信フラグ８０５の状態をチェックし（Ｓ７０９）、フラグが１であれば水平同期信号ＢＤＸの周期は正常であると判定する（Ｓ７１０）。一方、フラグが０であれば水平同期信号ＢＤＸの周期は異常であると判定し（Ｓ７１１）、水平同期信号周期エラー検出信号を出力する（Ｓ７１２）。最後にカウンタと２個目パルス受信フラグをクリアし（Ｓ７１３）、水平同期信号ＢＤＸの周期検査処理を終了する。
【００３０】
次に、同期信号パルス間隔検査機能について説明する。水平同期信号分離回路２０１によって分離された第１水平同期信号ＢＤ１〜第５水平同期信号ＢＤ５は、検査信号選択回路Ｂ２０４にも加えられる。検査信号選択回路Ｂ２０４では、検査対象とする隣り合った水平同期信号属性の組み合わせを順次入れ替えた水平同期信号ＢＤＹを生成し出力する。
【００３１】
次に、水平同期信号ＢＤＹの生成方法の詳細を説明する。
【００３２】
図１１に、水平同期信号ＢＤのパルス間隔検査動作を示すタイミングチャートを示す。同図において、水平同期信号ＢＤの第１周期１１０１では、検査信号選択回路Ｂ２０４によってＢＤ１とＢＤ２をＢＤＹ信号としてパルス間隔検査回路２０５へ出力する。パルス間隔検査回路２０５は、検査信号選択回路Ｂ２０４より出力されたＢＤ１属性とＢＤ２属性を持つＢＤＹ信号のパルス間隔を検査することにより、ＢＤ１とＢＤ２のパルス間隔チェックを行う。また、水平同期信号ＢＤの第２周期１１０２では、検査信号選択回路Ｂ２０４によってＢＤ２とＢＤ３をＢＤＹ信号としてパルス間隔検査回路２０５へ出力する。パルス間隔検査回路２０５は、検査信号選択回路Ｂ２０４より出力されたＢＤ２属性とＢＤ３属性を持つＢＤＹ信号のパルス間隔を検査することにより、ＢＤ２とＢＤ３のパルス間隔チェックを行う。以降同様に、第３周期１１０３から生成したＢＤ３属性とＢＤ４属性を持つＢＤＹ信号のパルス間隔を検査することにより、ＢＤ３とＢＤ４のパルス間隔チェックを行い、第４周期１１０４から生成したＢＤ４属性とＢＤ５属性を持つＢＤＹ信号のパルス間隔を検査することにより、ＢＤ４とＢＤ５のパルス間隔チェックを行う。ＢＤ４とＢＤ５のパルス間隔チェックの後は最初に戻って、ＢＤ１とＢＤ２から順次パルス間隔チェックを行う。
【００３３】
この構成によると、検査信号選択回路Ｂ２０４によって検査対象とする水平同期信号を組み合わせて、信号の発生順に順次入れ替えてＢＤＹ信号を生成するため、水平同期信号の属性にかかわらず単一のパルス間隔検査回路２０５によってパルス間隔をチェックすることが可能である。
【００３４】
パルス間隔検査回路２０５では、検査信号選択回路Ｂより出力された水平同期信号ＢＤＹのパルス間隔検査を行う。パルス間隔検査回路２０５の動作は、図７および図８を用いて説明した周期検査回路２０３の動作と同様であり、一定値Ａおよび一定値Ｂを、水平同期信号ＢＤの隣り合った水平同期信号属性パルスの間隔を勘案して決定することによって動作する。
【００３５】
図９は、ビデオ信号生成部１０４の実施例を示すブロック図である。同図において、水平同期信号ＢＤは水平同期信号分離回路９０１に加えられ、第１水平同期信号ＢＤ１が分離して取り出される。また、水平同期信号発生用ビデオ出力開始信号ＳＴは、フリップフロップ９０２ａのセット端子に印加され、その出力によりフリップフロップ９０２ａがセットされる。フリップフロップ９０２ａの出力は、描画コントローラ９０４から出力される印刷データＶＤ１と共にオアゲート９０３ａに印加され、オアゲート９０３ａの出力が第１ビデオ信号ＬＤ１として走査機構部１０２へ出力される。水平同期信号分離回路９０１から出力された第１水平同期信号ＢＤ１は、フリップフロップ９０２ａのリセット端子に印加され、その出力によりフリップフロップ９０２ａがリセットされる。
【００３６】
以下同様に、水平同期信号ＢＤは水平同期信号分離回路９０１に加えられ、第２水平同期信号ＢＤ２〜第５水平同期信号ＢＤ５が分離して取り出される。水平同期信号発生用ビデオ出力開始信号ＳＴは、フリップフロップ９０２ｂ〜９０２ｅのセット端子に印加され、その出力によりフリップフロップ９０２ｂ〜９０２ｅがセットされる。フリップフロップ９０２ｂ〜９０２ｅの出力は、描画コントローラ９０４から出力される印刷データＶＤ２〜ＶＤ５と共にオアゲート９０３ｂ〜９０３ｅにそれぞれ印加され、オアゲート９０３ｂ〜９０３ｅの出力が第２ビデオ信号ＬＤ２〜第５ビデオ信号ＬＤ５として走査機構部１０２へ出力される。水平同期信号分離回路９０１から出力された第２水平同期信号ＢＤ２〜第５水平同期信号ＢＤ５は、フリップフロップ９０２ｂ〜９０２ｅのリセット端子にそれぞれ印加され、その出力によりフリップフロップ９０２ｂ〜９０２ｅがリセットされる。
【００３７】
以上の構成において、周期チェックの動作を、図１０の水平同期信号ＢＤの周期検査動作を示すタイミングチャートを用いて説明する。水平同期信号ＢＤの第１周期１００１では、検査信号選択回路Ａ２０２によってＢＤ１をＢＤＸ信号として周期検査回路２０３へ出力する。第２周期１００２では同様にＢＤ１をＢＤＸ信号として出力する。周期検査回路２０３は、検査信号選択回路Ａ２０２より出力されたＢＤ１属性を持つＢＤＸ信号によりＢＤ１の周期チェックを行う。また、水平同期信号ＢＤの第３周期１００３では、検査信号選択回路Ａ２０２によってＢＤ２をＢＤＸ信号として周期検査回路２０３へ出力する。第４周期１００４では同様にＢＤ２をＢＤＸ信号として出力する。周期検査回路２０３は、検査信号選択回路Ａ２０２より出力されたＢＤ２属性を持つＢＤＸ信号によりＢＤ２の周期チェックを行う。以降同様に、第５周期１００５と第６周期１００６からＢＤ３属性を持つＢＤＸ信号を出力しＢＤ３の周期チェックを行い、第７周期１００７と第８周期１００８からＢＤ４属性を持つＢＤＸ信号を出力しＢＤ４の周期チェックを行い、第９周期１００９と第１０周期１０１０からＢＤ５属性を持つＢＤＸ信号を出力しＢＤ５の周期チェックを行う。
【００３８】
この実施例では一度に走査する走査光の本数を５本とした場合の例を示しているため、ＢＤ５の周期チェックの後は最初に戻って、ＢＤ１から順次周期チェックを行う。この構成によると、検査信号選択回路Ａ２０２によって検査対象とする水平同期信号を順次入れ替えてＢＤＸ信号を生成するため、同一の周期検査回路２０３により、水平同期信号の属性にかかわらず周期をチェックすることが可能である。
【実施例２】
【００３９】
図１２は、実施例２における水平同期信号ＢＤの周期検査動作を示すタイミングチャート、図１３は、実施例２における水平同期信号ＢＤのパルス間隔検査動作を示すタイミングチャートである。実施例２の装置構成は実施例１と同等であり、検査信号選択回路Ａ２０２および検査信号選択回路Ｂ２０４の検査信号選択手段の違いにより実施例１とは動作が異なる。
【００４０】
まず、図１２を用いて実施例２における水平同期信号ＢＤの周期検査動作を説明する。水平同期信号ＢＤの第１周期１２０１では、検査信号選択回路Ａ２０２によってＢＤ１をＢＤＸ信号として周期検査回路２０３へ出力する。第２周期１２０２ではＢＤ１およびＢＤ２をＢＤＸ信号として出力する。同期検査回路２０３では、ＢＤ１属性を持つＢＤＸ信号第１パルスと第２パルスによりＢＤ１の周期チェックを行う。続いて、第３周期１２０３では、検査信号選択回路Ａ２０２によってＢＤ２およびＢＤ３をＢＤＸ信号として出力する。同期検査回路２０３では、ＢＤ２属性を持つＢＤＸ信号第３パルスと第４パルスによりＢＤ２の周期チェックを行う。以降同様に、検査信号選択回路Ａ２０２によって、第４周期１２０４ではＢＤ３およびＢＤ４を、第５周期１２０５ではＢＤ４およびＢＤ５をＢＤＸ信号として出力する。また、第６周期１２０６ではＢＤ５を、第７周期１２０７では最初に戻ってＢＤ１をＢＤＸ信号として出力する。第８周期１２０８ではＢＤ１およびＢＤ２をＢＤＸ信号として出力し、以降その繰り返しである。同期検査回路２０３においても、検査信号選択回路Ａ２０２より出力されたＢＤＸ信号を順次検査することにより、水平同期信号ＢＤ各属性の周期をチェックする。
【００４１】
この構成によると、属性の異なる複数パルスを同時に抽出するため、サンプリング時間を短縮して実施例１よりも単位時間当たりの周期チェック回数を増やすことができ、周期チェック効率を上げることが可能である。
【００４２】
次に、図１３を用いて実施例２における水平同期信号ＢＤのパルス間隔検査動作を説明する。水平同期信号ＢＤの第１周期１３０１では、検査信号選択回路Ｂ２０４によってＢＤ１〜ＢＤ４をＢＤＹ信号としてパルス間隔検査回路２０５へ出力する。パルス間隔検査回路２０５は、検査信号選択回路Ｂ２０４より出力されたＢＤＹ信号の第１パルスと第２パルスによりＢＤ１とＢＤ２のパルス間隔チェックを行い、ＢＤＹ信号の第３パルスと第４パルスによりＢＤ３とＢＤ４のパルス間隔チェックを行う。水平同期信号ＢＤの第２周期１３０２では、検査信号選択回路Ｂ２０４によってＢＤ２〜ＢＤ５をＢＤＹ信号としてパルス間隔検査回路２０５へ出力する。パルス間隔検査回路２０５は、検査信号選択回路Ｂ２０４より出力されたＢＤＹ信号の第５パルスと第６パルスによりＢＤ２とＢＤ３のパルス間隔チェックを行い、ＢＤＹ信号の第７パルスと第８パルスの間隔により、ＢＤ４とＢＤ５のパルス間隔チェックを行う。以降、同様の動作を繰り返すことにより、水平同期信号ＢＤの隣り合った水平同期信号属性パルスの間隔をチェックすることができる。
【００４３】
この構成によると、同様に実施例１よりも単位時間当たりのパルス間隔チェック回数を増やすことができ、パルス間隔チェック効率を上げることが可能である。
【実施例３】
【００４４】
図１４は、実施例３におけるビデオ信号生成部１０４のブロック図である。同図において、水平同期信号ＢＤは水平同期信号分離回路９０１に加えられ、第１水平同期信号ＢＤ１が分離して取り出される。ＢＤ１発生用ビデオ出力開始信号ＳＴ１は、フリップフロップ９０２ａのセット端子に印加され、その出力によりフリップフロップ９０２ａがセットされる。フリップフロップ９０２ａの出力は、描画コントローラ９０４から出力される印刷データＶＤ１と共にオアゲート９０３ａに印加され、オアゲート９０３ａの出力が第１ビデオ信号ＬＤ１として走査機構部１０２へ出力される。水平同期信号分離回路９０１から出力された第１水平同期信号ＢＤ１は、フリップフロップ９０２ａのリセット端子に印加され、その出力によりフリップフロップ９０２ａがリセットされる。
【００４５】
以下同様に、水平同期信号ＢＤは水平同期信号分離回路９０１に加えられ、第２水平同期信号ＢＤ２〜第５水平同期信号ＢＤ５が分離して取り出される。各ＢＤ発生用ビデオ出力開始信号ＳＴ２〜ＳＴ５は、フリップフロップ９０２ｂ〜９０２ｅのセット端子に印加され、その出力によりフリップフロップ９０２ｂ〜９０２ｅがセットされる。フリップフロップ９０２ｂ〜９０２ｅの出力は、描画コントローラ９０４から出力される印刷データＶＤ２〜ＶＤ５と共にオアゲート９０３ｂ〜９０３ｅにそれぞれ印加され、オアゲート９０３ｂ〜９０３ｅの出力が第２ビデオ信号ＬＤ２〜第５ビデオ信号ＬＤ５として走査機構部１０２へ出力される。水平同期信号分離回路９０１から出力された第２水平同期信号ＢＤ２〜第５水平同期信号ＢＤ５は、フリップフロップ９０２ｂ〜９０２ｅのリセット端子にそれぞれ印加され、その出力によりフリップフロップ９０２ｂ〜９０２ｅがリセットされる。
【００４６】
本実施例におけるビデオ信号生成部１０４と、図９で示した実施例１および実施例２におけるビデオ信号生成部１０４との違いは、フリップフロップ９０２ａ〜９０２ｅのセット端子にビデオ信号毎の独立したＢＤ発生用ビデオ出力開始信号を入力する端子を設けた構成としている点であり、これにより検査するレーザ光を予め特定して走査することが可能となる。
【００４７】
図１５は、実施例３の水平同期信号ＢＤの周期検査動作を示すタイミングチャートである。本図において、ビデオ信号生成部１０４からＢＤ１発生のためＬＤ１信号１５０１を出力し、水平同期信号生成部１１０より出力されるＢＤ信号の成分としてＢＤ１を得る。次の周期ではＬＤ１信号１５０２とＬＤ２信号１５０３を出力し、ＢＤ１とＢＤ２を得る。また、次の周期ではＬＤ２信号１５０４とＬＤ３信号１５０５を出力し、ＢＤ２とＢＤ３を得る。また、次の周期ではＬＤ３信号１５０６とＬＤ４信号１５０７を出力し、ＢＤ３とＢＤ４を得る。また、次の周期ではＬＤ４信号１５０８とＬＤ５信号１５０９を出力し、ＢＤ４とＢＤ５を得る。最後の周期ではＬＤ５信号１５１０を出力し、ＢＤ５を得る。このようにして得たＢＤ信号は、周期検査回路２０３に入力して各水平同期信号周期チェックを行う。ＢＤ１属性を持つＢＤ信号の第１パルスと第２パルスによりＢＤ１の周期チェックを行う。次に、ＢＤ２属性を持つＢＤ信号の第３パルスと第４パルスによりＢＤ２の周期チェックを行う。次にＢＤ３属性を持つＢＤ信号の第５パルスと第６パルスによりＢＤ３の周期チェックを行う。次にＢＤ４属性を持つＢＤ信号の第７パルスと第８パルスによりＢＤ４の周期チェックを行う。最後にＢＤ５属性を持つＢＤ信号の第９パルスと第１０パルスによりＢＤ５の周期チェックを行う。
【００４８】
このように、特定のレーザ光のみを走査することによって得たＢＤ信号は、周期検査回路２０３に直接入力して検査することが可能となり、検査信号選択回路Ａ２０２によって検査対象とする水平同期信号を順次入れ替えてＢＤＸ信号を生成する必要がないという利点がある。
【００４９】
図１６は、実施例３の水平同期信号ＢＤのパルス間隔検査動作を示すタイミングチャートである。本図において、ビデオ信号生成部１０４からＢＤ１とＢＤ２発生のためＬＤ１信号１６０１とＬＤ２信号１６０２を出力し、水平同期信号生成部１１０より出力されるＢＤ信号の成分としてＢＤ１とＢＤ２を得る。次の周期では、ＬＤ２信号１６０３とＬＤ３信号１６０４を出力し、ＢＤ２とＢＤ３を得る。また、次の周期では、ＬＤ３信号１６０５とＬＤ４信号１６０６を出力し、ＢＤ３とＢＤ４を得る。最後の周期では、ＬＤ４信号１６０７とＬＤ５信号１６０８を出力し、ＢＤ４とＢＤ５を得る。
【００５０】
このようにして得たＢＤ信号は、パルス間隔検査回路２０５に入力してパルス間隔チェックを行う。ＢＤ１属性とＢＤ２属性を持つＢＤ信号の第１パルスと第２パルスによりＢＤ１とＢＤ２のパルス間隔チェックを行う。次に、ＢＤ２属性とＢＤ３属性を持つＢＤ信号の第３パルスと第４パルスによりＢＤ２とＢＤ３のパルス間隔チェックを行う。次に、ＢＤ３属性とＢＤ４属性を持つＢＤ信号の第５パルスと第６パルスによりＢＤ３とＢＤ４のパルス間隔チェックを行う。最後に、ＢＤ４属性とＢＤ５属性を持つＢＤ信号の第７パルスと第８パルスによりＢＤ４とＢＤ５のパルス間隔チェックを行う。
【００５１】
このように、特定のレーザ光のみを走査することによって得たＢＤ信号は、上記と同様にパルス間隔検査回路２０５に直接入力して検査することが可能となり、検査信号選択回路Ｂ２０４によって検査対象とする水平同期信号を組み合わせ、また、順次入れ替えてＢＤＹ信号を生成する必要がないという利点がある。
【００５２】
以上に説明した実施例３では、特に装置電源オン直後の初期診断などにおいて水平同期信号の正常性を確認する手段として有効である。
【図面の簡単な説明】
【００５３】
【図１】本発明マルチビーム光走査装置および電子写真装置の全体構成を示す概略構成図である。
【図２】本発明における水平同期信号検査部の実施例を示すブロック図である。
【図３】従来例の概略構成図である。
【図４】従来例におけるビデオ信号と水平同期信号を示すタイミングチャートである。
【図５】従来例における水平同期信号パルス間隔を示すタイミングチャートである。
【図６】従来例における水平同期信号検査部の実施例を示すブロック図である。
【図７】本発明における周期検査回路の処理手順を示すフローチャートである。
【図８】本発明における周期検査回路の動作を示すタイミングチャートである。
【図９】本発明におけるビデオ信号生成部の一実施例を示すブロック図である。
【図１０】本発明第１実施例のＢＤ周期検査動作を説明するタイミングチャートである。
【図１１】本発明第１実施例のＢＤパルス間隔検査動作を説明するタイミングチャートである。
【図１２】本発明第２実施例のＢＤ周期検査動作を説明するタイミングチャートである。
【図１３】本発明第２実施例のＢＤパルス間隔検査動作を説明するタイミングチャートである。
【図１４】本発明の第３実施例のビデオ信号生成部を示すブロック図である。
【図１５】本発明の第３実施例のＢＤ周期検査動作を説明するタイミングチャートである。
【図１６】本発明の第３実施例のＢＤパルス間隔検査動作を説明するタイミングチャートである。
【符号の説明】
【００５４】
１０１：信号制御部、１０２：走査機構部、１０３：水平同期信号検査部、
１０４：ビデオ信号生成部、１０５：レーザ光出力部、１０６：回転多面鏡、
１０７：非球面レンズ、１０８：光検出センサ、１０９：感光体、
１１０：水平同期信号生成部、１１１〜１１５：走査光、
２０１：水平同期信号分離回路、２０２：検査信号選択回路Ａ、
２０３：周期検査回路、２０４：検査信号選択回路Ｂ、２０５：パルス間隔検査回路、
２０６：周期エラー検出信号、２０７：パルス間隔エラー検出信号、
２０８：オアゲート、２０９：ＢＤエラー検出信号、３０１〜３０５：ビデオ信号、
３０６：水平同期信号、４０１〜４２５：ビデオ信号および水平同期信号、
５０１〜５０５：水平同期信号、６０１：周期チェック部、
６０２〜６０６：ＢＤチェック回路、６０７：パルス間隔チェック部、
６０８〜６１１：ＢＤ−ＢＤ間チェック回路、６１２：オアゲート、
６１３：エラー検出信号、８０１〜８０２：ＢＤＸ信号、８０３：カウンタ、
８０４：２個目パルス受信チェック中フラグ、８０５：２個目パルス受信フラグ、
９０１：水平同期信号分離回路、９０２ａ〜９０２ｅ：フリップフロップ、
９０３ａ〜９０３ｅ：オアゲート、９０４：描画コントローラ、
１００１〜１０２４：ＢＤ信号およびＢＤＸ信号、
１１０１〜１１１０：ＢＤ信号およびＢＤＹ信号、
１２０１〜１２１６：ＢＤ信号およびＢＤＸ信号、
１３０１〜１３０８：ＢＤ信号およびＢＤＹ信号、
１５０１〜１５２０：ＬＤ信号およびＢＤ信号、
１６０１〜１６１６：ＬＤ信号およびＢＤ信号。
【図１】
2008009255.tif 000003
【図２】
2008009255.tif 000004
【図３】
2008009255.tif 000005
【図４】
2008009255.tif 000006
【図５】
2008009255.tif 000007
【図６】
2008009255.tif 000008
【図７】
2008009255.tif 000009
【図８】
2008009255.tif 000010
【図９】
2008009255.tif 000011
【図１０】
2008009255.tif 000012
【図１１】
2008009255.tif 000013
【図１２】
2008009255.tif 000014
【図１３】
2008009255.tif 000015
【図１４】
2008009255.tif 000016
【図１５】
2008009255.tif 000017
【図１６】
2008009255.tif 000018